(57)【要約】【課題】本発明は、ケースとカバーとの係止状態を目視確認する際の視認性が良好であり、収容部内に針金治具や異物が侵入し難いバスバモジュールを提供することを目的とする。【解決手段】バスバモジュール３は、バスバ５と、バスバ５を収容する収容部６１を有するケース６と、ケース６を覆うカバー７と、を備えて構成され、収容部６１は、底壁６４と、底壁６４から立設して長手方向Ｘに延びる周壁６５ａと、幅方向に延びる周壁６５ｂと、を有して構成され、周壁６５ａは、周壁６５ａから上方向に延びる延設部６３１と、延設部６３１の先端に設けられるとともに、バスバ５が収容される方向に折れ曲がった係止爪６３２と、を有して構成され、係止爪６３２は、カバー７に設けられた係止孔７３とカバー７の露出面部７２側において係止する。【選択図】図２
2014238987.tif 000002
【特許請求の範囲】
【請求項１】
複数の電池を備えるとともに、異なる極性の電極が隣り合うように該電池が並べられた電池集合体の前記電極同士を接続するバスバモジュールであって、
前記電極同士を接続する複数のバスバと、該バスバを収容するケースと、該ケースを覆うカバーと、を備えて構成され、
前記ケースは、前記バスバを収容する収容部と、前記カバーを係止する係止部と、を有して構成され、
前記収容部は、底壁と、該底壁から立設する周壁と、を有し、前記係止部は、前記底壁から離れる方向に延びる延設部と、該延設部の先端から少なくとも前記収容部に収容された前記バスバ側に折れ曲がった係止爪と、を有して形成され、
前記カバーは、前記ケースと対向する面と反対側に位置する露出面部と、該露出面部から前記収容部側に連通した係止孔と、を有して構成され、
前記係止爪は、前記カバーの前記露出面部側に突出して、前記係止孔の縁に係止することを特徴とするバスバモジュール。
【請求項２】
前記露出面部は、前記底壁に向かって凹に形成された凹部を有して形成され、
前記係止孔は、前記凹部の底に形成されていることを特徴とする請求項１に記載のバスバモジュール。
【請求項３】
前記係止爪は、前記延設部の先端から、前記収容部に収容された前記バスバ側と、前記バスバ側の反対側と、の両側に折れ曲がって形成されていることを特徴とする請求項１又は２に記載のバスバモジュール。
【請求項４】
複数の電池を備えるとともに、異なる極性の電極が隣り合うように該電池が並べられた電池集合体と、請求項１〜３のいずれか１項に記載されたバスバモジュールと、を備えて構成されることを特徴とする電源装置。
【発明の詳細な説明】
【技術分野】
【０００１】
本発明は、複数の電池を備える電池集合体の電極同士を互いに接続するバスバモジュール及び電池集合体とバスバモジュールとを備える電源装置に関する。
【背景技術】
【０００２】
電気自動車やハイブリッド自動車などの電源装置は、異なる極性の電極が隣り合うように並べられた複数の電池を有する電池集合体と、各々の電池の電極同士を接続するバスバモジュールと、を備えて構成され、従来、バスバモジュールについて種々提案されている（例えば、特許文献１参照）。特許文献１に記載のバスバモジュールは、バスバを収容する収容部と、収容部を覆うカバーと、を備えて構成され、収容部は、周壁上に係止爪を有し、カバーは、開口部と、開口部から収容部側に延びた立壁部と、立壁部に形成された係止孔と、を有して形成されている。このカバーの収容部側において係止爪と係止孔とが係止することにより、カバーが収容部に係止されるようになっている。
【先行技術文献】
【特許文献】
【０００３】
【特許文献１】特開２０１２−１６４５９８号公報
【発明の概要】
【発明が解決しようとする課題】
【０００４】
しかしながら、従来のバスバモジュールでは、カバーの収容部側において係止爪と係止孔とが係止するため、収容部とカバーとの係止状態を目視確認する際に、カバーに設けられた開口部から収容部側を覗いて確認する必要がある。さらに、バスバモジュールの開口部から収容部に針金治具や異物が侵入してバスバ等に触れることを抑制するために開口部を小さく形成した場合に、カバーと収容部との係止状態を確認する際の視認性が悪くなるという問題があった。また、開口部から収容部内に針金治具や異物が侵入しやすいという問題があった。
【０００５】
従って、本発明は、上記のような問題点に着目し、ケースとカバーとの係止状態を目視確認する際の視認性が良好であり、収容部内に針金治具や異物が侵入し難いバスバモジュールを提供することを目的とする。
【課題を解決するための手段】
【０００６】
上記課題を解決するために、本発明のバスバモジュールは、複数の電池を備えるとともに、異なる極性の電極が隣り合うように該電池が並べられた電池集合体の前記電極同士を接続するバスバモジュールであって、前記電極同士を接続する複数のバスバと、該バスバを収容するケースと、該ケースを覆うカバーと、を備えて構成され、前記ケースは、前記バスバを収容する収容部と、前記カバーを係止する係止部と、を有して構成され、前記収容部は、底壁と、該底壁から立設する周壁と、を有し、前記係止部は、前記底壁から離れる方向に延びる延設部と、該延設部の先端から少なくとも前記収容部に収容された前記バスバ側に折れ曲がった係止爪と、を有して形成され、前記カバーは、前記ケースと対向する面と反対側に位置する露出面部と、該露出面部から前記収容部側に連通した係止孔と、を有して構成され、前記係止爪は、前記カバーの前記露出面部側に突出して、前記係止孔の縁に係止することを特徴とする。
【０００７】
本発明のバスバモジュールによれば、ケースに設けられた係止爪がカバーの露出面部側に突出して、係止孔の縁に係止することにより、ケースとカバーとの係止状態をカバーの露出面部側において確認することができ、係止状態を確認する際の視認性を良好にすることができる。また、係止爪が収容部内のバスバ側に折れ曲がって形成されていることから、係止爪が係止孔の縁（被係止部）と重なって係止して、係止孔におけるバスバ側の隙間が係止爪と延設部とによって塞がれることにより、係止孔から収容部内への針金治具や異物の侵入を防止することができる。
【０００８】
また、請求項１に記載のバスバモジュールにおいて、前記露出面部は、前記底壁に向かって凹に形成された凹部を有して形成され、前記係止孔は、前記凹部の底に形成されていることが好ましい。
【０００９】
このような構成によれば、収容部の係止爪が係止する係止孔が露出面部から収容部の底壁に向かって凹に形成された凹部の底に設けられていることにより、係止爪が係止孔に係止した際に、カバーの露出面部側への係止爪の突出が少なくなる、又は、係止爪を突出させないようにでき、組付け時などにケースとカバーとの係止状態が容易に解除されることを抑制することができる。
【００１０】
また、請求項１又は２に記載のバスバモジュールにおいて、前記係止爪は、前記延設部の先端から、前記収容部に収容された前記バスバ側と、前記バスバ側の反対側と、に折れ曲がって形成されていることが好ましい。
【００１１】
このような構成によれば、係止爪が収容部に収容されたバスバ側と、バスバ側の反対側との両方向に折れ曲がって形成されていることから、係止孔における両方向への隙間が係止爪と延設部により塞がれることにより、係止孔から収容部内への針金治具や異物の侵入をより確実に防止することができる。
【００１２】
本発明の電源装置は、複数の電池を備えるとともに、異なる極性の電極が隣り合うように該電池が並べられた電池集合体と、請求項１〜３のいずれか１項に記載されたバスバモジュールと、を備えて構成されることを特徴とする。
【００１３】
本発明の電源装置によれば、ケースに設けられた係止爪がカバーの露出面部側に突出して、係止孔の縁に係止することにより、ケースとカバーとの係止状態をカバーの露出面部側において確認することができ、係止状態を確認する際の視認性を良好にすることができる。また、係止爪が収容部内のバスバ側に折れ曲がって形成されていることから、係止爪が露出面部の被係止部と重なって係止して、バスバ側の隙間が係止爪と延設部とに塞がれることにより、係止孔から収容部内への針金治具や異物の侵入を防止することができる。
【発明の効果】
【００１４】
以上のような本発明のバスバモジュール及び電源装置によれば、係止爪がカバーの露出面部側において係止孔の縁に係止することから、ケースとカバーとの係止状態をカバーの露出面部側において確認することができ、ケースとカバーとの係止状態を目視確認する際の視認性を良好にすることができる。また、係止爪が収容部内のバスバ側に折れ曲がって形成されていることから、係止孔からバスバ側への隙間が係止爪と延設部とにより塞がれて、係止孔から収容部内への針金治具や異物の侵入を防止することができる。
【図面の簡単な説明】
【００１５】
【図１】本発明の一実施形態に係る電源装置を示す斜視図である。
【図２】前記電源装置におけるバスバモジュールの部分拡大図であり、（ａ）は平面図であり、（ｂ）は図２（ａ）の矢視Ｂ−Ｂ線断面図である。
【図３】本発明の変形例に係るバスバモジュールを示す断面図である。
【図４】本発明の他の変形例に係るバスバモジュールを示す断面図である。
【発明を実施するための形態】
【００１６】
本発明の一実施形態に係るバスバモジュール及び電源装置について、図１，２を参照して説明する。本実施形態の電源装置１は、電気自動車やハイブリッド自動車などの電源装置として用いられ、図１に示すように、電池集合体２と、電池集合体２に取り付けられるバスバモジュール３と、電池集合体２に接続される一対の電線４と、を備えて構成されている。なお、本明細書において、長手方向とは、バスバモジュール３の長手方向であり、図中の矢印Ｘで示す。また、幅方向とは、長手方向Ｘに直交するバスバモジュール３の幅方向であり、図中の矢印Ｙで示す。上下方向とは、長手方向Ｘ及び幅方向Ｙに直交する方向であり、図中の矢印Ｚで示し、上下は図１を基準とする。
【００１７】
電池集合体２は、不図示の複数のバッテリと、バッテリにそれぞれ設けられた不図示の電極と、を有して構成されるとともに、バッテリは、異なる極性の電極が長手方向Ｘに隣り合うように並べられている。
【００１８】
バスバモジュール３は、図１，２に示すように、電池集合体２の隣り合う電極同士を接続するバスバ５と、バスバ５を収容するケース６と、ケース６を覆うカバー７と、を備えて構成されている。
【００１９】
バスバ５は、金属板材に穴開け加工等を施して形成され、電池集合体２の不図示の電極が挿通される電極挿通孔５１が長手方向Ｘに２つ並んで設けられている。
【００２０】
ケース６は、合成樹脂等の絶縁性素材を用いて形成され、バスバ５を収容する収容部６１と、電線４を保持する複数の電線保持部６２と、カバー７を係止する係止部６３と、を有して構成されている。
【００２１】
収容部６１は、底壁６４と、底壁６４から立設するとともに、長手方向Ｘに延びる周壁６５ａと、幅方向Ｙに延びる周壁６５ｂと、を有して形成されている。底壁６４には、収容部６１に収容されるバスバ５の電極挿通孔５１の位置に合わせて、電極挿通孔６４１が形成されている。
【００２２】
また、長手方向Ｘに延びる周壁６５ａには、カバー７を係止する係止部６３が形成されている。係止部６３は、長手方向Ｘに延びる周壁６５ａの上端から上方向（図中の矢印Ｚで示す方向）に延びる延設部６３１と、延設部６３１から、幅方向Ｙのうちバスバ５が収容される方向（収容部６１の内方）に折れ曲がった係止爪６３２と、を有して構成されている。
【００２３】
電線保持部６２は、互いに間隔をあけて長手方向Ｘに沿って複数設けられており、一対の電線４は、電線保持部６２にそれぞれ保持されることにより、長手方向Ｘに沿って取り付けられ、バスバモジュール３の一方側の端部から引き出されている。
【００２４】
カバー７は、合成樹脂等の絶縁性素材を用いて形成され、ケース６を覆う際に収容部６１側に位置する内面部７１と、内面部７１とは反対側に位置する露出面部７２と、露出面部７２から内面部７１に連通した係止孔７３と、を有して構成されている。露出面部７２は、内面部７１側に凹に形成された凹部７２１を有して形成され、係止孔７３は、凹部７２１の底に形成されている。
【００２５】
次に、ケース６とカバー７との係止方法について、図２を参照して説明する。図２（ｂ）に示すように、ケース６の係止部６３は、カバー７の内面部７１側から露出面部７２側へ係止孔７３に挿通され、露出面部７２に連続する係止孔７３の縁に係止する。このとき、係止爪６３２と被係止部である係止孔７３の縁とは重なっており、また、係止孔７３から収容部６１内のバスバ５側の隙間は、延設部６３１と係止爪６３２とにより塞がれている。
【００２６】
本実施形態によれば、係止爪６３２がカバー７の露出面部７２に連続する被係止部に係止することにより、ケース６とカバー７との係止状態を露出面部７２側から確認することができ、係止状態を確認する際の視認性を良好にすることができる。
【００２７】
また、係止爪６３２が収容部６１内のバスバ５側に折れ曲がって形成されていることにより、係止孔７３におけるバスバ５側の隙間が係止部６３の延設部６３１と係止爪６３２とにより塞がれることから、係止孔７３から針金治具Ｇが侵入することができる範囲は図２（ｂ）の矢印Ｐで示す範囲となり、バスバ５が収容されている方向への針金治具Ｇや異物の侵入を防止することができる。
【００２８】
また、係止孔７３が露出面部７２側から内面部７１側に凹に形成された凹部７２１の底に設けられていることから、係止爪６３２が被係止部に係止した際に、係止爪６３２の露出面部７２側への突出が少なくなる、又は、突出させないようにすることができ、組付け時などにケース６とカバー７との係止状態が容易に解除されることを抑制することができる。
【００２９】
なお、本発明は、前記実施形態に限定されるものではなく、本発明の目的が達成できる他の構成等を含み、以下に示すような変形等も本発明に含まれる。
【００３０】
例えば、前記実施形態においては、係止孔７３は露出面部７２に設けられた凹部７２１の底に形成されていたが、図３（ａ）に示すように、凹部７２１が設けられずにフラットな露出面部７２に係止孔７３が形成されていてもよい。また、図３（ｂ）に示すように、係止爪６３２が設けられていない側には、凹部７２１が形成されていなくてもよく、即ち、凹部７２１の端に係止孔７３が形成されていてもよい。
【００３１】
また、係止部６３は、収容部６１の長手方向Ｘに延びた周壁６５ａの上端から上方向Ｚに形成されていたが、収容部６１の幅方向Ｙに延びて、隣り合う収容部６１を仕切る周壁６５ｂの上端から上方向Ｚに形成されていてもよい。この場合、前記実施形態のように係止爪６３２が一方向に形成されていてもよいが、例えば、図４（ａ）に示すように、係止爪６３２が隣り合うバスバ５の両方に向かって折れ曲がって形成されることにより、針金治具Ｇや異物が侵入して隣り合うバスバ５に触れることを防止することができる。
【００３２】
また、図４（ｂ）に示すように、両方向に折れ曲がって形成される係止爪６３２のうち一方は、係止爪６３２が係止した状態において、カバー７の露出面部７２側に重なる位置ではなく、内面部７１側に重なる位置に形成されていてもよい。
【００３３】
また、係止部６３は、収容部６１の周壁６５ａ，６５ｂの上端から延びていなくてもよく、カバー７の露出面部７２側において係止孔７３を係止することができれば、ケース６の任意の位置に設けることができる。
【００３４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００３５】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３６】
１      電源装置
２      電池集合体
３      バスバモジュール
５      バスバ
６      ケース
７      カバー
６１    収容部
６３    係止部
６４    底壁
６５ａ，６５ｂ    周壁
７２    露出面部
７３    係止孔
６３１  延設部
６３２  係止爪
７２１  凹部
【図１】
2014238987.tif 000003
【図２】
2014238987.tif 000004
【図３】
2014238987.tif 000005
【図４】
2014238987.tif 000006